(57)【特許請求の範囲】
【請求項１】
建築物の床下空間を加熱して床材を暖めると共に、前記床材に設けられ室内と前記床下空間とを連通する通気口から温風を室内に供給して室内の暖房を行う床下暖房装置であって、
温水を加熱するボイラと、温水により前記床下空間を加熱する放熱器と、前記ボイラと前記放熱器とを連結する温水パイプとを備え、前記放熱器が上方に設けられた係止部により前記通気口の周囲に係止されて前記床材から吊り下げられて前記床下空間内に設置され、
前記放熱器に設けられた係止部が、前記通気口の周囲の床材の上面に載置されるフランジ部と、該フランジ部の内側縁から下方に延設されその表裏を連通する連通孔が設けられた側面部とを備え、
前記床材の下面が前記連通孔よりも上方にある場合に、前記係止部に固定され前記連通孔を介して前記床材の下面に当接する固定部材を設け、該固定部材と前記フランジ部とにより前記床材を挟持して前記放熱器を前記床材に固定することを特徴とする床下暖房装置。
【請求項２】
建築物の床下空間を加熱して床材を暖めると共に、前記床材に設けられ室内と前記床下空間とを連通する通気口から温風を室内に供給して室内の暖房を行う床下暖房装置であって、
温水を加熱するボイラと、温水により前記床下空間を加熱する放熱器と、前記ボイラと前記放熱器とを連結する温水パイプとを備え、前記放熱器が上方に設けられた係止部により前記通気口の周囲に係止されて前記床材から吊り下げられて前記床下空間内に設置され、
前記床材の表面と略同一の高さとなるように前記通気口を覆うガラリが設けられると共に前記通気口内に突出し前記ガラリを載置する載置部が設けられ、
前記放熱器に設けられた係止部が、前記放熱器を吊り下げると共に先端部が縦方向に薄く形成されて前記載置部の上面まで延設される棒状の吊り下げ部を有し、該吊り下げ部の先端部を前記載置部に打ち込んで該載置部に埋設して前記放熱器を前記床材から吊り下げ、前記ガラリを前記載置部に載置することを特徴とする床下暖房装置。
【請求項３】
建築物の床下空間を加熱して床材を暖めると共に、前記床材に設けられ室内と前記床下空間とを連通する通気口から温風を室内に供給して室内の暖房を行う床下暖房装置であって、
温水を加熱するボイラと、温水により前記床下空間を加熱する放熱器と、前記ボイラと前記放熱器とを連結する温水パイプとを備え、前記放熱器が上方に設けられた係止部により前記通気口の周囲に係止されて前記床材から吊り下げられて前記床下空間内に設置され、
前記床材の表面と略同一の高さとなるように前記通気口を覆うガラリが設けられると共に前記通気口内に突出し前記ガラリを載置する載置部が設けられ、
前記放熱器に設けられた係止部が、前記載置部の下方に配設されると共に該載置部の側面に隣接し表裏を連通する連通孔を介して前記載置部の側面に設けられる係止部材により係止される側面部と、前記載置部の上面又は前記床材の上面に係止され前記側面部を係止位置に位置決めする着脱自在の位置決め部材とを備え、該位置決め部材により前記側面部を位置決めして前記係止部材により前記連通孔を介して前記側面部を前記載置部の側面に係止することにより前記放熱器を前記床材から吊り下げ、前記位置決め部材を取り外して前記ガラリを前記載置部に載置することを特徴とする床下暖房装置。
【請求項４】
建築物の床下空間を加熱して床材を暖めると共に、前記床材に設けられ室内と前記床下空間とを連通する通気口から温風を室内に供給して室内の暖房を行う床下暖房装置であって、
温水を加熱するボイラと、温水により前記床下空間を加熱する放熱器と、前記ボイラと前記放熱器とを連結する温水パイプとを備え、前記放熱器が上方に設けられた係止部により前記通気口の周囲に係止されて前記床材から吊り下げられて前記床下空間内に設置され、
前記床材の表面と略同一の高さとなるように前記通気口を覆うガラリが設けられると共に前記通気口内に突出し前記ガラリを載置する載置部が設けられ、
前記放熱器に設けられた係止部が、前記載置部の下方に配設されると共に該載置部の側面に隣接し表裏を連通すると共に下方が開放された係合孔が設けられた側面部と、前記載置部の側面に前記係合孔に対応して装着される係合部材とを備え、該係合部材に前記係合孔を上方から係合させることにより前記放熱器を前記床材から吊り下げ、前記ガラリを前記載置部に載置することを特徴とする床下暖房装置。
【請求項５】
前記温水パイプが可撓性の部材により形成されていることを特徴とする請求項１乃至４のいずれか１項に記載の床下暖房装置。
【発明の詳細な説明】
【０００１】
【発明の属する技術の分野】
本発明は、床下空間を加熱することにより室内を暖房する床下暖房装置に関する。
【０００２】
【従来の技術】
従来の床下暖房装置は、図８に示すように、床下空間Ｂに放熱器４２を設置し、この放熱器４２にボイラ４１から温水を循環させて床下空間Ｂを加熱し、これにより床材４４を暖めると共に床下空間Ｂと室内Ａとを連通する通気口４５から加熱された空気を室内Ａに導入して室内Ａを暖房するものである。
【０００３】
このような床下暖房装置は、建築物を建築する際、床材４４の設置工事を行う前に床下の設置面に放熱器４２を設置し、ボイラ４１と放熱器４２とを温水パイプ４３により接続し、その後床材４４を設置することにより放熱器４２を床下空間Ｂに設置していた。
【０００４】
しかしながら、このように床材４４の設置工事前に放熱器４２及び温水パイプ４３を設置すると、床材４４の設置工事の際にこれらの機器が障害となり、作業性が悪いという不都合がある。また、床材４４の設置工事後に放熱器４２を設置することも行っているが、作業者が床下空間Ｂにもぐり込んでボイラ４１と放熱器４２とを温水パイプ４３により接続し、床下の設置面に放熱器４２を設置する必要があるため、作業性が悪いという不都合がある。
【０００５】
【発明が解決しようとする課題】
本発明は、床下暖房装置の改良を目的とし、さらに詳しくは前記不都合を解消するために、建築物への設置が容易な床下暖房装置を提供することを目的とする。
【０００６】
【課題を解決するための手段】
前記目的を達成するために、本発明の床下暖房装置は、建築物の床下空間を加熱して床材を暖めると共に、前記床材に設けられ室内と前記床下空間とを連通する通気口から温風を室内に供給して室内の暖房を行う床下暖房装置であって、温水を加熱するボイラと、温水により前記床下空間を加熱する放熱器と、前記ボイラと前記放熱器とを連結する温水パイプとを備え、前記放熱器が上方に設けられた係止部により前記通気口の周囲に係止されて前記床材から吊り下げられて前記床下空間内に設置され、前記放熱器に設けられた係止部が、前記通気口の周囲の床材の上面に載置されるフランジ部と、該フランジ部の内側縁から下方に延設されその表裏を連通する連通孔が設けられた側面部とを備え、前記床材の下面が前記連通孔よりも上方にある場合に、前記係止部に固定され前記連通孔を介して前記床材の下面に当接する固定部材を設け、該固定部材と前記フランジ部とにより前記床材を挟持して前記放熱器を前記床材に固定することを特徴とする。
【０００７】
本発明の床下暖房装置によれば、前記放熱器が前記通気口から前記床下空間内に吊り下げられて設置されるものであるため、床材を設置する前に前記温水パイプだけを設置し、床材が設置されてから前記温水パイプと前記放熱器とを接続し、前記放熱器を前記床下空間内に設置すればよい。従って、床材を設置する際に前記放熱器が障害とならないので床材の設置作業が容易となる。また、先に床材が設置された状態で床下暖房装置を設置する場合も、床下空間には前記温水パイプのみをはわせればよく、当該温水パイプと前記放熱器との接続は前記通気口を介して行うことができるので、前記放熱器の設置作業が容易となる。また、前記放熱器を前記床材から吊り下げて設置することにより、建築物の設置面に前記放熱器を固定する必要が無いため、前記放熱器の設置作業がより容易になる。
【０００９】
建築物の床の構造が根太ありの場合は、通常床材は薄く形成されている。このように床材が薄く、床材の下面が前記連通孔よりも上方にあるときは、前記固定部材と前記フランジ部とにより前記床材を挟持して前記放熱器を前記床材に固定する。このように前記放熱器を前記床材に固定することにより、居住者が床材上を歩行した際に振動が生じた場合であっても、前記放熱器が前記床材から外れることがない。
【００１０】
尚、建築物の床の構造が根太なしの場合は床材は厚く形成されているため、通常床材の下面は前記連通孔よりも下方の位置となる。この場合は、前記連通孔を介して釘や木ネジを用いることにより前記放熱器を前記床材に固定すればよい。
【００１１】
また、前記目的を達成するために、本発明の床下暖房装置は、前記床材の表面と略同一の高さとなるように前記通気口を覆うガラリが設けられると共に前記通気口内に突出し前記ガラリを載置する載置部が設けられているときは、前記放熱器に設けられる係止部は、前記放熱器を吊り下げると共に先端部が縦方向に薄く形成されて前記載置部の上面まで延設される棒状の吊り下げ部を有し、該吊り下げ部の先端部を前記載置部に打ち込んで該載置部に埋設して前記放熱器を前記床材から吊り下げ、前記ガラリを前記載置部に載置するものであることを特徴とする。
【００１２】
これによれば、前記放熱器は前記吊り下げ部によって前記床材から吊り下げられて前記床下空間内に設置される。また、前記埋設部が前記載置部に埋設されているので、前記ガラリを前記載置部に載置したときに前記吊り下げ部が前記ガラリに当接しない。従って、前記ガラリに前記係止部を避けるための加工をする必要がないため、床暖房装置の設置作業が容易となる。
【００１３】
また、前記目的を達成するために、本発明の床下暖房装置は、同様に前記ガラリが設けられ、前記通気口内に前記載置部が設けられているときは、前記放熱器に設けられる係止部は、前記載置部の下方に配設されると共に該載置部の側面に隣接し表裏を連通する連通孔を介して前記載置部の側面に設けられる係止部材により係止される側面部と、前記載置部の上面又は前記床材の上面に係止され前記側面部を係止位置に位置決めする着脱自在の位置決め部材とを備え、該位置決め部材により前記側面部を位置決めして前記係止部材により前記連通孔を介して前記側面部を前記載置部の側面に係止することにより前記放熱器を前記床材から吊り下げ、前記位置決め部材を取り外して前記ガラリを前記載置部に載置するものであることを特徴とする。
【００１４】
これによれば、前記位置決め部材により前記側面部を前記載置部の側面に隣接して位置決めした状態で、前記係止部材により前記連通孔を介して前記側面部を前記載置部の側面に係止することができるので、前記側面部を前記載置部の側面に容易に係止することができる。また、前記側面部は前記載置部の下方に配設されており、前記位置決め部材は取り外すことができる。従って、前記ガラリを前記載置部に載置した際に前記側面部及び前記位置決め部材が前記ガラリに当接しないため、床暖房装置の設置作業が容易となる。
【００１５】
また、前記目的を達成するために、本発明の床下暖房装置は、同様に前記ガラリが設けられ、前記通気口内に前記載置部が設けられているときは、前記放熱器に設けられる係止部は、前記載置部の下方に配設されると共に該載置部の側面に隣接し表裏を連通すると共に下方が開放された係合孔が設けられた側面部と、前記載置部の側面に前記係合孔に対応して装着される係合部材とを備え、該係合部材に前記係合孔を上方から係合させることにより前記放熱器を前記床材から吊り下げ、前記ガラリを前記載置部に載置するものであることを特徴とする。
【００１６】
これによれば、前記載置部の側面に装着された係合部材に前記係合孔を上方から係合させることにより前記係止部を前記載置部の側面に係止して前記放熱器を前記床材から吊り下げることができる。また、前記係止部は前記載置部の下方に配設されるため、前記ガラリを前記載置部に載置したときに前記係止部が前記ガラリに当接しない。従って、床暖房装置の設置作業が容易となる。
【００１７】
また、前記温水パイプを可撓性の部材により形成することにより、前記温水パイプを前記通気口を介して床材上に容易に引き出すことができるので、床材上で前記温水パイプと前記放熱器とを接続することができ、前記温水パイプを接続した放熱器を前記通気口を介して床下空間に設置する作業も容易となる。
【００１８】
【発明の実施の形態】
次に、本発明の床下暖房装置の第１の実施形態について、図１乃至図３を参照して説明する。図１は本発明の第１の実施形態において床下暖房装置を住宅に設置した状態を示す説明的断面図、図２は第１の実施形態の放熱器と温水パイプとを接続する際の状態を示す説明図、図３（ａ）は第１の実施形態において床材が薄い場合に放熱器を床材に固定した状態を示す説明的断面図、図３（ｂ）は第１の実施形態において床材が厚い場合の係止部の状態を示す説明図である。
【００１９】
本実施形態の温水暖房装置は、図１に示すように、ボイラ１と放熱器２と温水パイプ３とを備えており、室内Ａの暖房を行うための温水を加熱するボイラ１は、住宅の室内Ａに設けられている。また、床材４には室内Ａと床下空間Ｂとを連通する通気口５が設けられており、放熱器２は通気口５が設けられている箇所の床下空間Ｂに設置されている。この放熱器２は、温水パイプ３によりボイラ１と連結されている。また、通気口５の上面には梯子状に形成されたガラリ（グリル）６が設けられている。尚、床下暖房装置が設置される住宅は、基礎Ｃの外面や内面を断熱材Ｄで覆って断熱を行ういわゆる基礎断熱が行われる。
【００２０】
放熱器２は、図２及び図３（ａ）に示すように、温水を通過させて放熱を行う多数のフィンを備えた放熱部７と、この放熱部７と温水パイプ３とをワンタッチで接続するロックジョイント８と、放熱部７の左右側面に固定される側面パネル９と、この側面パネル９の上方に一体に形成された係止部１０とを備えている。
【００２１】
係止部１０は、床材４の下材４ａの上面に載置される左右一対の第１フランジ部１１と、この第１フランジ部１１の内側縁から下方に延設される左右一対の側面部１２と、この側面部１２の下端縁から内方に延設される左右一対の第２フランジ部１３とを備えている。また、一対の側面部１２には前後方向に細長く形成された連通孔１４がそれぞれ前後２箇所に設けられている。また、図３（ａ）に示すように、第２フランジ部１３には、連通孔１４を介して下材４ａの下面に当接する固定部材１５が取付けネジ１６により固定されている。
【００２２】
尚、側面部１２に設けられている円形の連通孔１７は、床材４の厚さが厚い場合に係止部１０の側面部１２を床材４の端面に釘や木ネジ等で直接固定するために設けられている。
【００２３】
床材４は、合板で形成される下材４ａと、フローリング用の化粧板で形成される上材４ｂとで形成されており、通気口５が設けられている部分では、下材４ａが通気口５の内側に突出して段差が形成されている。
【００２４】
温水パイプ３は、本実施形態では可撓性を有する架橋ポリエチレン製パイプを用いている。また、ボイラ１は、従来のものと同様であるので詳細な説明は省略する。
【００２５】
第１の実施形態の床下暖房装置を住宅に設置するときは、まず住宅の建築時において床材４の設置工事を行う際にボイラ１と温水パイプ３とを設置する。その際、温水パイプ３は放熱器２が設けられる位置まで放熱器２に接続される側の端部を延設する。次に、床材４の設置を行う際に通気口５を形成する。
【００２６】
放熱器２を通気口５に設置するときは、図２に示すように、まず通気口５から温水パイプ３を床材４上に引き上げ、床材４上で温水パイプ３を放熱器２のロックジョイント８に連結する。そして、係止部１０の第１フランジ部１１を下材４ａ上に載置することにより、放熱器２を床材４から吊り下げて設置する。
【００２７】
さらに、下材４ａが薄い場合は、図３（ａ）に示すように、固定部材１５の一方の端縁部を連通孔１４に通して下材４ａの裏面に当接させ、他方の端部近傍を第２フランジ部１３に取付けネジ１６により固定する。また、下材４ａが厚い場合は、図３（ｂ）に示すように、側面部１２に設けられた連通孔１７から下材４ａに向かって釘１８を打ちつけて固定する。最後に、ガラリ６を通気口５に装着する。これにより、図３（ａ）に示すように、放熱器２が床下空間Ｂ内に設置される。
【００２８】
尚、上記実施形態においては、下材４ａが薄い場合に用いる連通孔１４と共に、下材４ａが厚い場合に用いる連通孔１７を別個に設けているが、この連通孔１７を設けることなく連通孔１４から釘や木ネジを用いて係止部１０を下材４ａに固定してもよい。
【００２９】
次に、本発明の床暖房装置の第２の実施形態について図４乃至図７を参照して説明する。図４は本発明の第２の実施形態において放熱器と温水パイプとを接続する際の状態を示す説明図、図５は第２の実施形態において吊り金具を載置部に埋設した状態を示す説明的断面図、図６は第２の実施形態において吊り金具を位置決めに利用した状態を示す説明的断面図、図７は第２の実施形態において係合孔により係止部を係止する状態を示す説明的断面図である。尚、上記第１の実施形態と同様のものについては、図中において同様の符号を付して詳細な説明は省略する。
【００３０】
第２の実施形態の床暖房装置は、図４に示すように、放熱部７の左右側面に固定される側面パネル９と、この側面パネル９の上方に形成された係止部２１とを備えている。
【００３１】
係止部２１は、側面パネル９の上端部から外側に向かって延設される左右一対のフランジ部２２と、このフランジ部２２の外側縁から上方に延設される左右一対の側面部２３とを備えている。また、側面パネル９とフランジ部２２との境界部には、図４に示すように切り込みを入れることにより掛止部２４が４箇所に形成されている。そして、掛止部２４には大略コ字状に形成され、先端部が左右外側に突出している吊り金具（吊り下げ部）２５が着脱自在に掛止されている。また、吊り金具２５の先端部は、縦方向に薄く形成された埋設部２６となっている。
【００３２】
また、掛止部２４の側方には、図４及び図７に示すように、側面部２３からフランジ部２２にかけて表裏を連通すると共に下方が開放された係合孔２７が４箇所に設けられており、側面部２３の略中央部には側面部２３の表裏を連通する連通孔２８が設けられている。
【００３３】
床材４は、下材４ａと上材４ｂとで形成されており、通気口５が設けられている部分では、下材４ａが通気口５の内側に突出し、ガラリ６が載置される載置部２９が設けられている。ガラリ６は、図５に示すように通気口５の上方から載置されて床材４の表面と略同一の高さになるように形成されている。
【００３４】
次に、第２の実施形態の床下暖房装置において、吊り金具２５の埋設部２６を載置部２９に埋設して放熱器２を床下空間Ｂ内に設置する際の手順について説明する。
【００３５】
まず、図４に示すように、２本の吊り金具２５を掛止部２４に掛止する。そして、床材４上で温水パイプ３を放熱器２のロックジョイント８に連結する。この状態で、放熱器２を通気口５から床下空間Ｂ内に挿入すると吊り金具２５の埋設部２６が載置部２９に当接する。これにより、放熱器２は床材４から吊り下げられた状態となる。
【００３６】
次に、埋設部２６をハンマー等で載置部２９に打ち込むことにより、図５に示すように埋設部２６を載置部２９内に埋設する。埋設部２６は縦方向に薄く形成されているため、容易に載置部２９に埋設することができる。そして、通気口５の上方から載置部２９上にガラリ６を載置する。このとき、側面部２３は載置部２９の下方に配設されており、埋設部２６は載置部２９内に埋設されているので、ガラリ６を載置部２９上に載置した際に側面部２３及び埋設部２６がガラリ６に当接することがない。従って、ガラリ６の加工を行う必要がないため、放熱器２及びガラリ６の設置作業が容易となる。
【００３７】
次に、第２の実施形態の床下暖房装置において、吊り金具２５を側面部２３の位置決めに使用して放熱器２を床下空間Ｂ内に設置する際の手順について説明する。
【００３８】
まず、図４に示すように、２本の吊り金具２５を掛止部２４に掛止する。この状態で、放熱器２を通気口５から床下空間Ｂ内に挿入し、図６に示すように吊り金具２５の埋設部２６を載置部２９に当接させて放熱器２を床材４から吊り下げる。次に、この状態で係合孔２７及び連通孔２８を介して木ネジ３０により側面部２３を根太３１に固定する。次に、吊り金具２５を掛止部２４から取り外し、ガラリ６を載置部２９に載置する。これにより、放熱器２を通気口５の周囲に固定して床材４から吊り下げて設置することができる。このとき、側面部２３は載置部２９の下方に配設されており、吊り金具２５は取り外されているので、ガラリ６の加工を行う必要がないため、放熱器２及びガラリ６の設置作業が容易となる。
【００３９】
次に、第２の実施形態の床下暖房装置において、係合孔２７を用いて放熱器２を床下空間Ｂ内に設置する際の手順について説明する。
【００４０】
まず、載置部２９の側面に木ネジ（係合部材）３０を配設する位置を示した型紙等を用いて係合孔２７に対応する位置に木ネジ３０を固定する。そして、図７に示すように、木ネジ３０に係合孔２７が係合するように放熱器２を通気口５内に挿入する。木ネジ３０に係合孔２７が係合されると、係止部２１が通気口５の周囲に掛止されるため、放熱器２を床材４から吊り下げて設置することができる。
【００４１】
このように、本実施形態では、木ネジ３０を固定し、放熱器２を通気口５内に挿入するだけで放熱器２を床下空間Ｂ内に設置することができる。また、側面部２３は載置部２９の下方に配設されているので、ガラリ６の加工を行う必要がない。このため、放熱器２及びガラリ６の設置作業が容易となる。尚、吊り金具２５を掛止部２４に掛止し、放熱器２を取り扱う際の取っ手としてもよい。また、係合部材としては、上述の木ネジ３０の代わりに釘を用いてもよい。
【００４２】
上記第１及び第２の実施形態の床下暖房装置により床下暖房運転を行うと、ボイラ１により加熱された温水が温水パイプ３を介して放熱器２に供給される。放熱器２の放熱部７内に温水が供給されて放熱部７が加熱されると、図１に示すように、放熱部７内部の空気が暖められ、この暖められた空気がガラリ６を介して通気口５から室内Ａに供給されて室内Ａが暖房される。また、放熱部７の周囲の空気が暖められ、この暖められた空気により床下空間Ｂ及び床材４が暖められる。
【図面の簡単な説明】
【図１】本発明の第１の実施形態の床下暖房装置を住宅に設置した状態を示す説明的断面図。
【図２】第１の実施形態の放熱器と温水パイプとを接続する際の状態を示す説明図。
【図３】第１の実施形態の放熱器を床材に固定した状態を示す説明的断面図。
【図４】第２の実施形態において放熱器と温水パイプとを接続する際の状態を示す説明図。
【図５】第２の実施形態において吊り金具を載置部に埋設した状態を示す説明的断面図。
【図６】第２の実施形態において吊り金具を位置決めに利用した状態を示す説明的断面図。
【図７】第２の実施形態において係合孔により係止部を係止する状態を示す説明的断面図。
【図８】従来の床下暖房装置を示す説明的断面図。
【符号の説明】
１…ボイラ、２…放熱器、３…温水パイプ、４…床材、５…通気口、Ａ…室内、Ｂ…床下空間。
【図１】
0003814123.tif 000002
【図２】
0003814123.tif 000003
【図３】
0003814123.tif 000004
【図４】
0003814123.tif 000005
【図５】
0003814123.tif 000006
【図６】
0003814123.tif 000007
【図７】
0003814123.tif 000008
【図８】
0003814123.tif 000009